(57)【要約】【課題】連接符号と再送技術とを組み合わせた場合に、再送による誤り率特性の向上効果を高めること。【解決手段】リードソロモン符号化のようなバースト誤りに対する訂正能力が強い符号化処理を行う外符号化処理部３２に、インターリーバ３１を介して再送毎に異なるインターリーブパターンの送信データを入力させる。また内符号化処理部３３はターボ符号化のようなランダム誤りに対する訂正能力が強い符号化処理を行う。これにより、再送毎に異なる外符号パリティビットが送信され、復号側では再送回数分の異なる外符号パリティビットを用いて外符号復号化処理を行うことができるので、バースト誤りの訂正能力が向上する。この結果、再送によって、内符号化処理による合成利得と外符号によるダイバーシチ効果とを獲得できるようになるので、再送による効果を十分に生かして、ランダム誤りとバースト誤りの両方を有効に低減し得る。【選択図】      図３
2004304268.tif 000002
【特許請求の範囲】
【請求項１】
送信データに対して再送回数に応じて異なる符号化処理を施す外符号化部と、外符号化処理が施された符号化データに対して内符号化処理を施す内符号化部と、内符号化処理が施された符号化データを無線送信する送信部と、を具備することを特徴とする無線送信装置。
【請求項２】
前記外符号化部は、送信データを再送回数に応じて異なるインターリーブパターンでインターリーブするインターリーバと、インターリーブ後の送信データに対してリードソロモン符号化処理を施すリードソロモン符号器とを有し、前記内符号化部は、ターボ符号器を有する
ことを特徴とする請求項１に記載の無線送信装置。
【請求項３】
前記送信部は、前記符号化データに対して周波数ホッピング方式のＯＦＤＭ処理を施して無線送信する
ことを特徴とする請求項１又は請求項２に記載の無線送信装置。
【請求項４】
送信データに対して再送毎に異なる外符号化処理を施して送信された信号を受信して復号する無線受信装置であって、内符号化処理が施されている再送回数分の情報ビットを合成する合成部と、前記合成部により合成された情報ビットと外符号パリティビットとを内符号復号化する内符号復号部と、この内符号復号部により得られた情報ビットを再送回数分の異なる外符号パリティビットを用いて復号する外符号復号部と、を具備することを特徴とする無線受信装置。
【請求項５】
送信データに対して連接符号化処理を施して無線送信する無線送信方法であって、送信データに対して再送毎に異なる外符号化処理を施すようにする
ことを特徴とする無線送信方法。
【請求項６】
前記外符号化処理はリードソロモン符号化処理であり、前記内符号処理はターボ符号化処理である
ことを特徴とする請求項５に記載の無線送信方法。
【発明の詳細な説明】
【０００１】
【発明の属する技術分野】
本発明は無線送信装置、無線受信装置及びその方法に関し、例えばＨ−ＡＲＱ方式を用いた無線通信システムに適用して好適なものである。
【０００２】
【従来の技術】
無線通信の分野では、高速大容量の下りチャネルを複数の移動局装置が共有し、基地局装置から移動局装置にパケットを伝送する下り高速パケット伝送方式が開発されている。この高速パケット伝送を実現する一つの技術として、下記特許文献１にも記載されているように、Ｈ−ＡＲＱ（Ｈｙｂｒｉｄ−Ａｕｔｏｍａｔｉｃ  Ｒｅｐｅａｔ  Ｒｅｑｕｅｓｔ）が提案されている。
【０００３】
Ｈ−ＡＲＱは、ＡＲＱに誤り訂正符号を組み合わせた方式であり、誤り訂正を用いて受信信号の誤り率を向上させることにより、再送回数を減らしてスループットを向上させることを目的としている。このＨ−ＡＲＱの有力な方式として、Ｃｈａｓｅ  Ｃｏｍｂｉｎｉｎｇ型と、Ｉｎｃｒｅｍｅｎｔａｌ  Ｒｅｄｕｎｄａｎｃｙ型の２つの方式が提案されている。
【０００４】
上記Ｃｈａｓｅ  Ｃｏｍｂｉｎｉｎｇ型のＨ−ＡＲＱ（以下“ＣＣ型Ｈ−ＡＲＱ”と称する）は、基地局装置が、前回送信したパケットと同一のパケットを再送することを特徴とする。移動局装置は、再送されたパケットを受信すると、前回までに受信したパケットと今回再送されたパケットとを合成し、合成後の信号に対して誤り訂正復号を行う。このようにＣＣ型Ｈ−ＡＲＱでは、前回までに受信したパケットに含まれる符号語と今回再送されたパケットに含まれる符号語とを合成して受信レベルを向上させるので、再送を繰り返すたびに誤り率特性が改善される。これにより、通常のＡＲＱよりも少ない再送回数で誤り無しとなるので、スループットを向上させることができる。
【０００５】
一方、Ｉｎｃｒｅｍｅｎｔａｌ  Ｒｅｄｕｎｄａｎｃｙ型のＨ−ＡＲＱ（以下“ＩＲ型Ｈ−ＡＲＱ”と称する）は、基地局装置が、前回までに送信したパケットに含まれるパリティビットと異なるパリティビットを含んで構成されるパケットを再送することを特徴とする。移動局装置は、受信した各パリティビットをバッファに保持しておき、再送パケットを受信すると、前回までに受信したパケットに含まれるパリティビットと再送時に受信したパケットに含まれるパリティビットとを共に用いて誤り訂正復号を行う。このようにＩＲ型では、再送の度に誤り訂正復号に用いるパリティビットが増加（インクリメント）されるので、移動局装置の誤り訂正能力が向上し、その結果、再送を繰り返すたびに誤り率特性が改善される。これにより、通常のＡＲＱよりも少ない再送回数で誤り無しとなるので、スループットを向上させることができる。
【０００６】
さらに従来、Ｈ−ＡＲＱに連接符号を用いることにより、一段と誤り率特性を向上させ、スループットを向上させることが考えられている。例えば連接符号として、ターボ符号とリードソロモン符号を用いれば、ターボ符号による白色ガウス雑音に強い（すなわちランダム誤りに強い）といった利点と、リードソロモン符号によるインパルス的な雑音に強い（すなわちバースト誤りに強い）といった利点とを併せ持つことができるので、多様な伝搬環境下で誤り率特性を向上させることができると考えられる。
【０００７】
【特許文献１】
特開２００１−３５２３１５号公報
【０００８】
【発明が解決しようとする課題】
ところで、上述したようにＨ−ＡＲＱに連接符号を用いれば、確かに多様な伝搬環境下での誤り率特性を向上させることができると考えられるが、単純にそれらを組み合わせただけでは、単にそれらを足しただけの効果しか得ることができない。
【０００９】
例えばＨ−ＡＲＱのタイプ１と呼ばれる方式に、ターボ符号とリードソロモン符号からなる連接符号を適用した場合について検討する。Ｈ−ＡＲＱのタイプ１は、再送パケットで初回パケットと同一の符号化データを送信する方式である。
【００１０】
具体的には、送信側において情報ビットに誤り訂正符号化処理を施すと共に誤り検出符号（例えばＣＲＣビット）を付加して送信する。受信側では、受信パケットの誤り訂正復号後、誤り検出符号を用いて誤り検出を行う。誤りが検出された場合、誤りを含むパケットは破棄され、再送要求が送信側にフィードバックされる。送信側では、この再送要求に基づいて、そのパケットを同一の符号で符号化し再送する。この一連の処理を誤りが検出されなくなるまで繰り返す。
【００１１】
ところで、パケット中でインパルス的な雑音が発生する位置は、再送を繰り返したとしても同じとなる確率が高い。このためリードソロモン符号は確かにバースト誤りには強いが、初回送信時のリードソロモン符号で誤りを訂正しきれなかったシンボルは、再送時にも誤る確率が高くなる。つまり、リードソロモン符号と再送との関係でみた場合、再送によるパケット合成（Ｃｈａｓｅ  Ｃｏｍｂｉｎｉｎｇ）の効果がほとんど得られなくなる。
【００１２】
このような不都合は、例えば周波数ホッピング方式のＯＦＤＭシステムにおいて顕著となる。ここで周波数ホッピング方式のＯＦＤＭシステムについて、簡単に説明する。周波数ホッピングを適用したＯＦＤＭシステムは、複数のセル間で異なるホッピングパターンを用いることにより、セル間の干渉を平均化して通信を行うようになっている。
【００１３】
つまり、図７に示すような隣接する２つのセルＡ、Ｂを考えた場合、セルＡの基地局ＢＳＡ、セルＢの基地局ＢＳＢから、それぞれホッピングパターンの異なるＯＦＤＭ信号を送信する。通常、このホッピングパターンはセルＡとセルＢでランダムに決められているので、ある時点のあるサブキャリアで偶然衝突が生じる可能性がある。
【００１４】
これを図８を用いて説明する。図８は、セルＡの基地局ＢＳＡから送信された周波数ホッピングＯＦＤＭ信号と、セルＢの基地局ＢＳＢから送信された周波数ホッピングＯＦＤＭ信号を示すものである。縦軸の１単位はサブキャリアを示し、横軸の１単位は１バースト期間を示す。つまり、図中の１つの四角に１つのＯＦＤＭシンボルが配置されているものとする。
【００１５】
図８からも分かるように、ある時点のあるサブキャリアでは偶然セルＡのＯＦＤＭ信号とセルＢのＯＦＤＭ信号が衝突する。衝突した時点のサブキャリアに配置されたデータシンボルは、図９に示すように、他のデータシンボルと比較して受信品質が劣化する。
【００１６】
このように周波数ホッピングを適用したＯＦＤＭシステムでは、他セルからの干渉を受けたシンボルの品質が劣化するので、復号時に誤り訂正処理を行って品質が劣化しているシンボルのデータを正しい復号データに訂正する必要がある。
【００１７】
しかし、このようなシンボルの衝突による劣化は、バースト誤りとなるので、ターボ符号のようにランダム誤りを対象とした誤り訂正のみでは不十分であり、例えばターボ符号とリードソロモン符号からなる連接符号が誤り率特性向上の点で非常に有効となる。
【００１８】
しかし、周波数ホッピング方式のＯＦＤＭシステムにおいて、単純に連接符号とＨ−ＡＲＱを組み合わせた場合には、上述したように、単に連接符号による効果と、Ｈ−ＡＲＱによる効果を足しただけの効果しか得られず、十分な誤り率特性向上効果を得られない。
【００１９】
本発明はかかる点に鑑みてなされたものであり、連接符号と再送技術とを組み合わせた場合に、再送による誤り率特性の向上効果を一段と高めることができる無線送信装置、無線受信装置及び方法を提供することを目的とする。
【００２０】
【課題を解決するための手段】
かかる課題を解決するため本発明の無線送信装置は、送信データに対して再送回数に応じて異なる符号化処理を施す外符号化部と、外符号化処理が施された符号化データに対して内符号化処理を施す内符号化部と、内符号化処理が施された符号化データを無線送信する送信部と、を具備する構成を採る。
【００２１】
この構成によれば、例えば外符号化部によってバースト誤りに強い誤り訂正符号化を施すと共に内符号化部によりランダム誤りに強い誤り訂正符号化処理を施すようにすれば、再送回数が増えるに従ってバースト誤り及びランダム誤りに対する誤り耐性が強くなり、誤り率特性の劣化及び再送回数の増加を抑制することができるようになる。特に、外符号化部の処理を再送回数に応じて異なるものとしたことにより、復号側では異なる複数の外符号パリティビットを用いて外符号復号化処理を行うことができるので、バースト誤りの訂正能力が向上する。
【００２２】
本発明の無線送信装置は、前記外符号化部が、送信データを再送回数に応じて異なるインターリーブパターンでインターリーブするインターリーバと、インターリーブ後の送信データに対してリードソロモン符号化処理を施すリードソロモン符号器とを有し、前記内符号化部が、ターボ符号器を有する構成を採る。
【００２３】
この構成によれば、外符号化部としてリードソロモン符号化器を用いるようにしたのでバースト誤りに強い誤り訂正符号化処理を施すことができると共に、内符号化部としてターボ符号化器を用いるようにしたのでランダム誤りに強い誤り訂正符号化処理を施すことができるようになる。また復号側では、ターボ符号化されたデータについてＨ−ＡＲＱにより再送による合成利得を得ることができると共に、ターボ復号後のデータに対して再送毎に異なるリードソロモンパリティビットを用いたリードソロモン復号処理を行うことで再送によるダイバーシチ効果を得ることができるようになる。換言すれば、ランダム誤りについては再送による合成利得により誤り率特性を向上させることができると共にバースト誤りについては再送によるダイバーシチ効果により誤り率特性を向上させることができるようになる。この結果、ランダム誤り特性とバースト誤り特性の両方を向上させることができる。
【００２４】
本発明の無線送信装置は、前記送信部が、前記符号化データに対して周波数ホッピング方式のＯＦＤＭ処理を施して無線送信する構成を採る。
【００２５】
この構成によれば、周波数ホッピングＯＦＤＭ信号は、隣接する無線送信装置間で、あるサブキャリア同士が衝突する可能性があり、この場合にそのサブキャリアに重畳されたシンボルの品質が劣化して送信データにバースト誤りが生じ易い状態となるが、外符号化部で再送毎に異なる外符号化処理を行うようにしているので、ダイバーシチ効果により復号データを誤り無しとすることができる確率を高くできる。
【００２６】
本発明の無線受信装置は、送信データに対して再送毎に異なる外符号化処理を施して送信された信号を受信して復号する無線受信装置であって、内符号化処理が施されている再送回数分の情報ビットを合成する合成部と、前記合成部により合成された情報ビットと外符号パリティビットとを内符号復号化する内符号復号部と、この内符号復号部により得られた情報ビットを再送回数分の異なる外符号パリティビットを用いて復号する外符号復号部と、を具備する構成を採る。
【００２７】
この構成によれば、内符号復号部に入力される情報ビットは、再送による合成利得が得られているので、内符号復号部から出力される復号データは、再送回数が多くなるにつれて誤り率特性が良くなる。また外符号復号部は、再送回数分の異なる外符号パリティビットを用いて情報ビットを復号するので、再送回数分のダイバーシチ効果を得ることができ、再送回数が多くなるにつれて誤り率特性が良くなる。この結果、内符号復号によりランダム誤りが少なくかつ外符号復号によりバースト誤りが少ない復号データを得ることができるようになる。
【００２８】
本発明の無線送信方法は、送信データに対して連接符号化処理を施して無線送信する無線送信方法であって、送信データに対して再送毎に異なる外符号化処理を施すようにする。
【００２９】
本発明の無線送信方法は、前記外符号化処理はリードソロモン符号化処理であり、前記内符号処理はターボ符号化処理であるようにする。
【００３０】
【発明の実施の形態】
本発明の骨子は、送信データを連接符号化して送信するにあたって、送信データに対して再送毎に異なる外符号化処理を行うことである。以下の実施の形態では、内符号化処理に対しては従来のＨ−ＡＲＱで用いられているターボ符号化処理を施す一方、外符号化処理に対しては再送毎に異なるリードソロモン符号化処理を行うことを提案する。
【００３１】
以下、本発明の実施の形態について図面を参照して詳細に説明する。
【００３２】
図１に、本発明の実施の形態に係る無線送信装置の全体構成を示す。無線送信装置１０は、周波数ホッピングＯＦＤＭ方式により送信信号を無線送信するようになされている。無線送信装置１０は、送信データを符号化部１１により符号化する。符号化部１１には、図示しない制御部からの再送回数情報が入力され、符号化部１１は再送回数に応じて異なる符号化処理を行う。符号化部１１の詳細構成については後述する。
【００３３】
符号化データは、変調部１２によりＱＰＳＫ（Ｑｕａｄｒａｔｕｒｅ  Ｐｈａｓｅ  Ｓｈｉｆｔ  Ｋｅｙｉｎｇ）や１６値ＱＡＭ（Ｑｕａｄｒａｔｕｒｅ  Ａｍｐｌｉｔｕｄｅ  Ｍｏｄｕｌａｔｉｏｎ）等のディジタル変調処理が施された後、サブキャリアマッピング部１３に送られる。
【００３４】
サブキャリアマッピング部１３は、変調信号を予め決められたホッピングパターンのサブキャリアにマッピングする。多重化部１４は、同様にして得られた他のユーザ宛のマッピング後の変調信号に加えて、パイロット系列データや制御データを入力し、これらを多重化してシリアルパラレル変換（Ｓ／Ｐ）部１５に送出する。
【００３５】
シリアルパラレル変換処理された信号は、続く逆フーリエ変換部（ＩＦＦＴ）１６により逆フーリエ変換処理された後、ガードインターバル（ＧＩ）挿入部１７によりガードインターバルが挿入されて無線部（ＲＦ部）１８に送出される。無線部１８は、入力信号に対してディジタルアナログ変換処理やアップコンバート、増幅等の処理を施し、処理後の信号をアンテナ１９に送出する。これにより、アンテナ１９からは周波数ホッピングされたＯＦＤＭ信号が送信される。
【００３６】
図２に、無線送信装置１０から送信された信号を受信する無線受信装置２０の構成を示す。無線受信装置２０は、アンテナ２１で受信した信号に対して無線部（ＲＦ部）２２により増幅やダウンコンバート、アナログディジタル変換等の処理を施した後、ガードインターバル除去部２３に送出する。ガードインターバルが除去された信号は、続くフーリエ変換部（ＦＦＴ）２４によりフーリエ変換処理された後、復調部２５に送られる。
【００３７】
復調部２５は無線送信装置１０の変調部１２に対応する復調処理を施し、復調後の信号を復号部２６に送出する。復号部２６も無線送信装置１０の符号化部１１に対応する復号処理を施すことにより受信データを得る。
【００３８】
図３に、符号化部１１の構成を示す。符号化部１１は、外符号化処理部３２及び内符号化処理部３３を有し、送信データに対して連接符号化処理を施すようになされている。符号化部１１は、先ず、送信データをＣＲＣ（Ｃｙｃｌｉｃ  Ｒｅｄｕｎｄａｎｃｙ  Ｃｈｅｃｋ）付加部３０に入力し、ＣＲＣ付加部３０によって誤り検出用のＣＲＣ符号を付加する。ＣＲＣが付加された送信データはインターリーバ３１に送出される。インターリーバ３１には再送回数情報が入力されており、再送回数に応じて異なるインターリーブパターンで送信データをインターリーブする。インターリーブ後のデータは外符号化処理部３２に送られる。
【００３９】
この実施の形態の場合、外符号化処理部３２はリードソロモン符号器でなり、送信データに対してリードソロモン符号化処理を施す。内符号化処理部３３はターボ符号器でなり、リードソロモン符号化処理が施された符号化データに対してターボ符号化処理を施す。ターボ符号化された符号化データは、図１の変調部１２に送出される。
【００４０】
図４及び図５に符号化部１１により得られる符号化データのフォーマットを示す。ここで図４は初回送信時の符号化データのフォーマットを示し、図５は１回目の再送時の符号化データのフレームフォーマットを示す。図４（Ａ）及び図５（Ａ）はＣＲＣ付加部３０の出力を示し、初回送信時、１回再送時共にシステマティックビットにＣＲＣが付加される。
【００４１】
図４（Ｂ）及び図５（Ｂ）は外符号化処理部３２の出力を示し、リードソロモンパリティビット（ＲＳパリティビット）が付加される。ここで外符号化処理部３２によるリードソロモン符号化処理は、インターリーバ３１により再送毎に異なる順序とされたシステマティックビットに対して行われるので、図４（Ｂ）のＲＳパリティビットＲ１と図５（Ｂ）のＲＳパリティビットＲ２は異なるものとなる。これにより、受信側では、前回送信時と今回送信時で異なるＲＳパリティビットを使ってリードソロモン復号による誤り訂正処理を行うことができるので、受信データが連続して誤る確率を低減することができるようになる。
【００４２】
図４（Ｃ）及び図５（Ｃ）は内符号化処理部３３の出力を示し、前回送信時と今回送信時で異なるターボパリティビットＴ１、Ｔ２が付加される。因みに、この実施の形態では、前回送信時と今回送信時で異なるターボパリティビットを送信するが、同一のターボパリティビットを送信するようにしてもよい。
【００４３】
図６に、図２の復号部２６の構成を示す。復号部２６は、分流部４０により復調部２５からの復調データを、システマティックビット＋ＣＲＣビット（すなわち図４（Ａ）及び図５（Ａ）の部分）と、リードソロモンパリティビットと、ターボパリティビットとに分流する。このうちリードソロモンパリティビットとターボパリティビットはターボ復号器４１に送られる。
【００４４】
一方、システマティックビットとＣＲＣビットはデインターリーバ４２に送られる。デインターリーバ４２は、図３のインターリーバ３１と逆の処理を施すことにより、再送毎に順番が並べ換えられたシステマティックビットとＣＲＣビットを元の順番に並べ直すようになっている。デインターリーバ４２の出力は合成部４３に送られる。合成部４３は、バッファ４４に格納されている前回までに送られてきたシステマティックビット、ＣＲＣビットと、今回送られてきたシステマティックビット、ＣＲＣビットとを合成する。これにより、再送が増えるに従ってシステマティックビットとＣＲＣビットの合成利得が得られるようになっている。
【００４５】
ターボ復号器４１は、ターボパリティビットを使って、合成後のシステマティックビット、ＣＲＣビットとリードソロモンパリティビットをターボ復号する。これにより、システマティックビット、ＣＲＣビットとリードソロモンパリティビットにランダム誤りが生じていても、この誤りを良好に訂正することができる。ターボ復号器４１の出力は分流部４５に送られる。
【００４６】
分流部４５は、ターボ復号後のデータを、システマティックビット＋ＣＲＣビットと、リードソロモンパリティビットとに分ける。このときリードソロモンパリティビットは、上述したように再送毎に異なるものとされているので、再送回数に応じたバッファ４６、４７に格納する。すなわち初回送信時のリードソロモンパリティビットＲ１はバッファ４７に格納しておき、１回再送時のリードソロモンパリティビットＲ２はバッファ４６に格納しておき、２回再送時（今回再送時）のリードソロモンパリティビットＲ３は直接リードソロモン復号器４８に送出する。
【００４７】
システマティックビットとＣＲＣビットは、全てのリードソロモン復号器４８、４９、５０に送出される。リードソロモン復号器４８はシステマティックビットとＣＲＣビットを今回再送された（すなわち２回目の再送により送られた）リードソロモンパリティビットＲ３を使ってリードソロモン復号し、リードソロモン復号器４９はシステマティックビットとＣＲＣビットを１回再送時のリードソロモンパリティビットＲ２を使ってリードソロモン復号し、リードソロモン復号器５０はシステマティックビットとＣＲＣビットを初回送信時のリードソロモンパリティビットＲ１を使ってリードソロモン復号する。リードソロモン復号処理されたデータは、それぞれ各ＣＲＣチェック部５１〜５３により誤りの有無が検出された後、受信データとして出力される。
【００４８】
このように、復号部２６においては、再送の度に送られてくる異なるリードソロモンパリティビットＲ１、Ｒ２、Ｒ３を使ってリードソロモン復号化処理を行うので、再送回数分のダイバーシチ効果を得ることができ、バースト誤りの無い復号データを得ることができる確率が高まる。
【００４９】
次に本実施の形態の無線送信装置１０及び無線受信装置２０の動作について説明する。無線送信装置１０は、符号化処理及び変調処理を施した送信信号を周波数ホッピングしたＯＦＤＭ信号として送信する。このため、無線送信装置１０から送信された周波数ホッピングＯＦＤＭ信号は、他の無線送信装置から送信されている周波数ホッピングＯＦＤＭ信号とあるサブキャリアで偶然衝突が生じるおそれがある。この衝突が生じるとそのサブキャリアに重畳されたシンボルが劣化するので、受信データにバースト誤りが生じ易い。
【００５０】
無線送信装置１０では、送信データに対して再送毎に異なるリードソロモン符号化処理を施して再送毎に異なるリードソロモンパリティビットを送信しているので、パリティビット及びＣＲＣビットにバースト誤りが生じても、いずれかの再送時のリードソロモンパリティビットによってバースト誤りを訂正できる可能性が高くなる。
【００５１】
また無線送信装置１０は、内符号化処理としてターボ符号化を行うようにしているので、システマティックビット、ＣＲＣビット及びリードソロモンパリティビットにランダム誤りが生じても、ターボ復号時の再送による合成利得によりランダム誤りを訂正できる。
【００５２】
かくして以上の構成によれば、外符号化処理部３２によってバースト誤りに強い誤り訂正符号化を施すと共に内符号化処理部３３によりランダム誤りに強い誤り訂正符号化処理を施すようにしたことにより、再送回数が増えるに従ってバースト誤り及びランダム誤りに対する誤り耐性が強くなり、誤り率特性の劣化及び再送回数の増加を抑制することができる。加えて、外符号化処理部３２の処理を再送回数に応じて異なるものとしたことにより、復号側では再送回数分の異なる外符号パリティビットＲ１、Ｒ２、Ｒ３を用いて外符号復号化処理を行うことができるので、バースト誤りの訂正能力が向上する。この結果、連接符号と再送技術とを組み合わせた場合に、再送による誤り率特性の向上効果を一段と高めることができる無線送信装置及び無線受信装置を実現できる。
【００５３】
なお上述した実施の形態では、本発明を、周波数ホッピングＯＦＤＭ方式の無線送信装置１０及び無線受信装置２０に適用した場合について述べたが、本発明はこれに限らず、再送により受信データの品質を上げるようになされた無線送信装置及び無線受信装置に広く適用できる。
【００５４】
また上述した実施の形態では、外符号化処理部３２としてリードソロモン符号化器を用いた場合について述べたが、本発明の外符号化処理部３２はこれに限らず、例えばＢＣＨ符号器でもよく、要は、バースト誤りに強い誤り訂正符号化処理を行うことができるものであればよい。つまり、再送毎にバースト誤りに強い外符号化器の処理を再送回数に応じて異なるものとすればよい。
【００５５】
また上述した実施の形態では、再送回数に応じて異なる外符号化処理を行うためにインターリーバ３１を設けたが、本発明はこれに限らず、例えばそれぞれ異なる符号化処理を行う外符号化器を複数設けておき、再送回数に応じて外符号化処理を行う符号化器を選択するようにしてもよい。
【００５６】
さらに上述した実施の形態では、内符号化処理部３３としてターボ符号器を用いた場合について述べたが、本発明の内符号化処理部はこれに限らず、要は、ランダム誤りに強い誤り訂正を行うことができるものであればよく、ターボ符号器以外の他の畳み込み符号器を用いるようにしてもよい。
【００５７】
【発明の効果】
以上説明したように本発明によれば、連接符号と再送技術とを組み合わせた場合に、送信データに対して再送毎に異なる外符号化処理を施すようにしたことにより、再送によって、内符号化処理による合成利得と外符号によるダイバーシチ効果とを獲得できるようになるので、再送による効果を十分に生かして、ランダム誤りとバースト誤りの両方を有効に低減し得る無線送信装置及び無線受信装置を実現できる。
【図面の簡単な説明】
【図１】本発明が適用される無線送信装置の一例を示すブロック図
【図２】本発明が適用される無線受信装置の一例を示すブロック図
【図３】実施の形態による符号化部の構成を示すブロック図
【図４】初回送信時の符号化データのフォーマットを示す図
【図５】１回再送時の符号化データのフォーマットを示す図
【図６】実施の形態による復号部の構成を示すブロック図
【図７】隣接セルを示す図
【図８】周波数ホッピングＯＦＤＭ信号のデータシンボルの衝突の説明に供する図
【図９】衝突によるデータシンボルの品質劣化の様子を示す図
【符号の説明】
１０  無線送信装置
１１  符号化部
２０  無線受信装置
２６  復号部
３１  インターリーバ
３２  外符号化処理部
３３  内符号化処理部
４０、４５  分流部
４１  ターボ復号器
４２  デインターリーバ
４３  合成部
４８、４９、５０  リードソロモン復号器
【図１】
2004304268.tif 000003
【図２】
2004304268.tif 000004
【図３】
2004304268.tif 000005
【図４】
2004304268.tif 000006
【図５】
2004304268.tif 000007
【図６】
2004304268.tif 000008
【図７】
2004304268.tif 000009
【図８】
2004304268.tif 000010
【図９】
2004304268.tif 000011